(57)【特許請求の範囲】
【請求項１】
搬送通路（２５）の内部を、印刷製品（５）が搬送機構（２８）の連行部材（２９）によって間隔をおいて移送される、該搬送通路（２５）に、印刷製品（５）を供給するための装置であって、
この装置が、搬送通路（２５）の移送方向に対して横方向へのこれら印刷製品（５）搬送のための第１の手段（５０、３７）と、搬送通路（２５）の移送方向において供給される印刷製品（５）の予備加速のための第２の手段（１９、２０；４０）とを有する様式の上記装置において、
第２の手段（１９、２０；４０）が、印刷製品（５）を、それぞれに基本的に直線状に搬送し、且つ、移送方向に対して傾斜して、少なくとも１つの案内壁（２６）を備えている搬送通路（２５）に供給することを特徴とする装置。
【請求項２】
印刷製品（５）は、第２の手段である搬送ベルト（１９、２０；４０）によって、搬送通路（２５）に対して傾斜して供給されることを特徴とする請求項１に記載の装置。
【請求項３】
搬送通路は、水平の、または、移送方向に対して或いは案内壁（２６）に対して横方向に傾斜された、底部を有していることを特徴とする請求項１または２に記載の装置。
【請求項４】
２つの、第２の手段である搬送ベルト（１９、２０；４０）の間の印刷製品（５）は、搬送通路に供給されることを特徴とする請求項１から３のいずれか一つに記載の装置。
【請求項５】
印刷製品（５）を搬送通路（２５）に対して傾斜して供給する、第２の手段（１９、２０；４０）の供給角度αは、この搬送通路（２５）の移送方向に対して、２０°から４０°まで、有利には３０°であることを特徴とする請求項１から４のいずれか一つに記載の装置。
【請求項６】
第２の手段（１９、２０）の駆動装置は、搬送通路（２５）の移送方向に対して横方向へのこれら印刷製品（５）搬送のための第１の手段である給紙機（５０）内に、特にドラム形給紙機内に合体されていることを特徴とする請求項１から５のいずれか一つに記載の装置。
【請求項７】
第２の手段（１９、２０）は、傾斜ローラ（１６）によって駆動されていることを特徴とする請求項６に記載の装置。
【請求項８】
傾斜ローラ（１６）は、互いに間隔をおいて、それぞれが、給紙機（５０）のフレームに固定した管（９）に軸受けされていることを特徴とする請求項７に記載の装置。
【請求項９】
管（９）は、印刷製品を堆積体から引出す、給紙機（５０）のグリッパー円板（７）の回転軸（６）に対して同軸に設けられていることを特徴とする請求項８に記載の装置。
【請求項１０】
両方の傾斜ローラ（１６）の周りを、それぞれに、少なくとも部分的に囲繞して、印刷製品（５）を移送する、第２の手段である搬送ベルト（１９、２０）が、案内されていることを特徴とする請求項９に記載の装置。
【請求項１１】
案内壁（２６）は、少なくとも部分的に、垂直方向の軸線の周りを回転している緩衝ベルト（２６′）によって形成されていることを特徴とする請求項１から１０のいずれか一つに記載の装置。
【請求項１２】
管（９）は、グリッパー円板（７）の回転軸（６）に支持されていることを特徴とする請求項９または１０に記載の装置。
【請求項１３】
グリッパー円板（７）は、両方の傾斜ローラ（１６）の間に設けられていることを特徴とする請求項９または１０に記載の装置。
【請求項１４】
傾斜ローラ（１６）は、少なくとも１つの案内ロッド（１２）によって駆動されていることを特徴とする請求項７から１０、１２、または１３のいずれか一つに記載の装置。
【請求項１５】
傾斜ローラ（１６）は、２０°から４０°までの角度において傾斜されて回転軸（６）に設けられていることを特徴とする請求項７から１０、または１２から１４のいずれか一つに記載の装置。
【請求項１６】
給紙機（５０）の回転軸（６）は、搬送通路（２５）の移送方向に対して平行に指向していることを特徴とする請求項９または１０、または１２から１５のいずれか一つに記載の装置。
【請求項１７】
印刷製品（５）は、搬送通路（２５）内において、比較的に幅の広い、特に屈曲された連行部材（２９）によって移送されることを特徴とする請求項１から１６のいずれか一つに記載の装置。
【請求項１８】
連行部材（２９）は、搬送機構（２８）の節部材（３０）に設けられていることを特徴とする請求項１７に記載の装置。
【請求項１９】
第２の手段（４０）は、印刷製品（５）の予備加速のために、別個に駆動されていることを特徴とする請求項１から１８のいずれか一つに記載の装置。
【請求項２０】
第２の手段（４０）は、印刷製品（５）の予備加速のために、
これら印刷製品（５）が比較的に高い速度でもって、搬送通路（２５）内に挿入され、且つ、相対して位置している案内壁（２６）に衝突の前に減速される
ように駆動されていることを特徴とする請求項１９に記載の装置。
【発明の詳細な説明】
【０００１】
【発明の属する技術分野】
本発明は、内部を、印刷製品が搬送機構の連行部材によって間隔をおいて移送される、搬送通路に、印刷製品を供給するための装置であって、
この装置が、搬送通路の移送方向に対して横方向へのこれら印刷製品搬送のための第１の手段と、搬送通路の移送方向において供給される印刷製品（５）の予備加速のための第２の手段とを有する様式の上記装置に関する。
【０００２】
【従来の技術】
この様式の装置は、ヨーロッパ特許公開７３８  ６８２号明細書から公知の技術において周知されている。この装置は、所謂、差込通路内への折込み紙の挿入に用いられ、この差込通路内に、搬送チェーンが設けられており、この搬送チェーンが規則的な間隔で、指形の、この差込通路内に突出する連行部材を備えている。これら折込み紙は、堆積体から引取りドラムによって引出され、且つベルトによって、この差込通路の移送方向に対して垂直方向に、２つの回転する真空ディスクに供給される。これら同一の方向に回転し、且つ基本的に水平方向の真空ディスクは、それぞれに吸込み開口部を備えられており、これら吸込み開口部が、それぞれに、約９０°の領域において、吸引通路と結合されている。両方の真空ディスクは、それぞれに、差込通路内において、約半分だけ存在している。これら供給されるべき折込み紙は、上記のベルトによって、両方の真空ディスクに引渡され、且つ吸込み開口部に捕捉される。これら両方の真空ディスクの回転により、捕捉された折込み紙は、それぞれに並進的な運動を強制され、これら真空ディスクによって、この折込み紙が、差込通路の移送方向に予備加速される。この予備加速によって、印刷製品の後縁部における連行部材による加速衝撃は、低減可能である。
【０００３】
回転する真空ディスクが、製品をもっぱら、外側において吸引するように捕捉するので、この製品は、この公知の装置によって、軽量な且つ安定性のある個別の紙葉を、および限定されたサイズ範囲におけるこのような紙葉を処理することか、ただ可能なだけである。
【０００４】
【発明が解決しようとする課題】
従って、本発明の根底をなす課題は、不安定な印刷製品でもサイズに依存しない処理を可能にする、冒頭に記載した様式の装置を提案することである。
【０００５】
【課題を解決するための手段】
この課題は、冒頭に記載した装置において、上記の第２の手段が、印刷製品を、それぞれに基本的に直線状に搬送し、且つ、移送方向に対して傾斜して、少なくとも１つの案内壁を備えている搬送通路に供給することによって解決される。この印刷製品の傾斜した移送方向によって、垂直方向の移送方向の場合より短い連行部材間隔が、または比較的に僅かな移送速度が、実現可能である。傾斜した供給は、搬送通路の移送方向における予備加速のほかに、同様に、通路に対して直角に指向する速度成分の減少を結果として伴う。従って、印刷製品の後縁部における連行部材による加速衝撃は、減少される。搬送通路に対して直角の速度成分の低減によって、相対して位置している案内壁における印刷製品の衝突速度は、低減される。また、本発明による装置の基本的な利点は、この装置が、折込み紙に、および主製品に適応する点にある。
【０００６】
印刷製品が、本発明の他の構成により、傾斜して設けられた搬送ベルトによって搬送通路内に挿入される場合、比較的に薄い個別の紙葉、および厚い主製品は、搬送通路、または通過する印刷製品に供給され得る。
【０００７】
他の構成により、搬送ベルトの駆動装置が、直接的にドラム形給紙機内に合体されている場合、特に良好な人間工学的な状態が、給紙機の手動の供給に対して、形成される。給紙機回転軸と搬送通路との間の非常に小さな間隔によって、手動の供給および操作は、通路側から可能である。本発明の他の構成により、傾斜して設けられたローラが、引取りドラムに設けられており、且つ、印刷製品がこれらローラによって、搬送通路の移送方向に対して傾斜して移送される場合、この合体は、構造的に特に有利であり、且つ信頼性が高い。有利には、これら傾斜して位置されたローラの周りを、それぞれに、それらローラに一列に、内側のおよび外側のベルトが設けられており、これらベルトは、印刷製品を搬送通路内に移送する。有利には、これら傾斜ローラは、引取りドラムの回転軸に対して平行に指向する案内ロッドによって連行される。この様式のドラム形給紙機は、例えばヨーロッパ特許公開１  ０２４０９９号明細書が紹介している。
【０００８】
他の有利な特徴は、請求項２から請求項２０によって、および以下の説明並びに図によって与えられる。
【０００９】
【発明の実施の形態】
次に、本発明の２つの実施例を、図に基づいて詳しく説明する。
【００１０】
図１および２において示された装置１は、給紙機（第１の手段）５０を備えており、この給紙機は、ドラム形給紙機であり且つ回転軸６を有し、この回転軸がフレーム３に軸受けされており、且つこの回転軸に少なくとも１つのグリッパー円板７が回転不能に組付けされている。それ自体公知のこのグリッパー円板７は、図２に示すように、このグリッパー円板の周囲にグリッパー８を有し、これらグリッパーによって、堆積体４から下側に、印刷製品５が、個々に引出される。グリッパー８の操作は、グリッパー軸１５を介して行われ、このグリッパー軸が、それ自体公知の方法で、フレーム３に回転可能に軸受けされたドラム形給紙機の駆動円板１７に支承され、且つ、図示されていないピニオンおよび歯付きセグメントを介して駆動される。
【００１１】
グリッパー円板７は、２つの傾斜ローラ１６の間に設けられており、これら傾斜ローラが、それぞれに、フレームに固定した管９に、回転可能に軸受けされている。これら両方の傾斜ローラ１６の駆動は、２つの１８０°だけ位置ずれされたロッド１２によって行われ、これらロッドが、それぞれに強固に、駆動円板１７と結合されている。それぞれのロッド１２に、２つの球１３が設けられており、これら球は、それぞれ１つのロッド１２を、１つの傾斜ローラ１６と結合している。これら球１３は、それぞれに摺動可能に、半径方向の案内スリット１４内に設けられている。両方の傾斜ローラ１６は、それぞれに、軸受部１８によって、相応する管９に回転可能に軸受けされている。回転軸６に対するこれら傾斜ローラ１６の傾斜は、２０°から４０°までの範囲内にあり、有利には約３０°である。両方の傾斜ローラ１６は、精確に互いに平行に整向されている。
【００１２】
それぞれの傾斜ローラ１６の周りに、この傾斜ローラの一直線の並びに、エンドレスベルト（第２の手段、搬送ベルト）１９が敷設されており、このエンドレスベルトは、２つの方向転換ローラ２１および４９の周りに敷設されており、且つ、鼻状に前方へ突出した領域１９ａを有している。それぞれのエンドレスベルト１９は、下側のベルト（エンドレスベルト）２０と協働しており、この下側のベルトが、２つの互いに間隔をおいて設けられたローラ２２および２３に敷設されており、且つ同様に、上記の傾斜ローラの一直線の並びに、回転軸６に対して傾斜して指向している。これらベルト２０は、それぞれに、これら傾斜ローラ１６の内の１つに対して緊張されており、且つこの傾斜ローラによって、即ち接触するエンドレスベルト１９によって駆動される。これら下側のベルト２０は、同様に、ローラ２３を介して、別個に駆動され得る。エンドレスベルト１９および２０によって、引出された印刷製品５は、それぞれに、グリッパー円板７の約１５０°の方向転換の後、図１において２４の参照記号を付けられている位置に引き取られ、且つ図２に示すように、矢印４７の方向に移送される。エンドレスベルト１９および２０によって印刷製品５を把持する際、この印刷製品５は、完全に堆積体４から引出され、且つ図示されていないにグリッパードラムの外周に対して平行に指向する案内機構によって案内され、同時に、グリッパー８が開放される。このようにして把持されたこの印刷製品５は、エンドレスベルト１９および２０によって移送される。
【００１３】
エンドレスベルト１９および２０によって移送された印刷製品５の移送方向は、図２において、破線で書かれた線４８によって示唆されている。この移送は、直線状に、且つ移送方向に対して傾斜した角度αにおいて、しかも特に差込通路である搬送通路２５の長手方向において、行われる。この角度αは、２０°から４０°まで、且つ有利には約３０°の値である。図１および２において、単に断片的に示された搬送通路２５は、上方に開いており、且つ少なくとも１つの側方の案内壁２６を有する底部５３を備えている。底部５３の下方に、エンドレスな搬送機構２８、特にチェーンが設けられており、このチェーンが、規定された分割に相応して規則的な間隔を置いて連行部材２９を有し、これら連行部材が、長手スリット２７を通って、搬送通路２５内に突出している。これら連行部材２９は、搬送通路２５内において、印刷製品５の移送の役目を果たす。図１および２において、これら印刷製品は、矢印５２の方向、即ち右から左へと移送される。相応して、これら連行部材２９は、搬送通路２５内において、矢印５２の方向に移動する。従って、搬送通路２５の一方の長手方向は、移送方向に相応する。特に、図２に示すように、傾斜ローラ１６は、矢印５２による移送方向において、傾斜されている。この搬送通路２５内における印刷製品５の移送は、図２に示すように速度Ｖ１によって行われ、この速度が速度成分Ｖ２およびＶ３によって形成される。従って、印刷製品５の傾斜した移送によって、これら印刷製品は、搬送通路２５の移送方向において、予備加速される。増大する角度αによって、速度Ｖ２は、移送方向においてより大きくなり、且つこの移送方向に対して横方向において、速度はより小さくなる。従って、予備加速の大きさは、角度αの変化によって、調節することができる。
【００１４】
図３および４による装置の場合、搬送通路２５′が設けられており、この搬送通路内に、上記の移送機構が設けられている。連行部材２９は、エンドレスのリンクチェーン５４の、比較的に幅の広い板状の節部材３０であり、これら節部材が関節運動可能であるように、互いに結合されている。
【００１５】
搬送通路２５′内に、印刷製品５を挿入するために、２つのベルトグループ３７（第１の手段）および４０（第２の手段）が設けられており、これらベルトグループが、フレーム３６に支承され、且つ有利には、相互に依存せずに駆動されている。このベルトグループ３７は、印刷製品５を、搬送通路２５′の移送方向に対して横方向に搬送し、且つ下側のベルト３８を有しており、これら下側のベルトがそれぞれに、上側のベルト３９と協働する。これら印刷製品５は、このベルトグループ３７から、ここで示されていない給紙機または他の機械、例えばトリマによって、受取られる。これら印刷製品５は、折込み紙、例えば個別の印刷紙様、または同様に主製品、例えば新聞、定期刊行物、等々が可能である。これら印刷製品５は、ベルトグループ３７からベルトグループ４０に引渡され、このベルトグループが、これら印刷製品５を矢印４６の方向に搬送通路２５′の移送方向に対して傾斜して移送する。印刷製品５のサイズは、異なっていて良く、従って、中間のサイズを有する印刷製品５′、またはしかもその上、比較的に非常に小さなサイズを有する印刷製品５″も、装置の変更無しに搬送通路２５′の中へ挿入され得る。印刷製品５の角度αによる方向転換を、全サイズ範囲にわたって保証するために、これらベルトグループ３７の上側のベルト３９を運動方向に調節でき、従って、それぞれのサイズの場合、印刷製品が、ベルトグループ４０によって背かがり部（Bund）において捕捉される前に、この印刷製品５は、後方の端部においてこのベルトグループ３７から解放される。前方の領域において、これら印刷製品５の移送は、上側のベルト４２および相対して位置しているローラ４４によって行われ、これらローラが、テレスコープ式に伸縮自在の担持体４５に支承されている。これら上側のベルト４２は、共通の駆動軸４１によって駆動されており、且つそれぞれに、前方の端部において、ローラ４３の周りに敷設されている。これらローラ４３は、図４に示すように、それぞれの上側のベルト４２が担持体４５の上に突出しているように設けられている。例えばここで図示されていない制御された電動機によっての駆動軸４１の別個の駆動は、これら印刷製品５をベルトグループ４０の領域において、加速／減速して移送することを可能にする。減速によって、これら印刷製品５の衝突は、搬送通路の側方の案内壁２６において低減される。従って、これら印刷製品５は、連行部材２９の間で、比較的に高い速度でもって移送可能であり、且つこの案内壁２６に衝突する直前に減速され得る。これによって、これら印刷製品５は、比較的に高い速度でもって、または品質を損なうことが無いように、搬送通路２５′内に挿入され得る。印刷製品５′を更に品質を損なうことが無いようにするために、この案内壁２６は、連行部材２９の速度によって循環する緩衝ベルト２６′によって形成されている。この緩衝ベルト２６′は、案内壁２６における減速作用を防止する。
【００１６】
図５から７までに基づいて、搬送通路２５内への印刷製品５の挿入、並びにこの搬送通路２５内における移送を、装置１を基にして詳しく説明する。この経過は、しかし基本的に、装置２に関しても同じことが言える。
【００１７】
図５が示すように、印刷製品５は、エンドレスベルト１９および２０によって、搬送通路２５の移送方向に対して傾斜して搬送され、その際、前方に向かって走る背かがり部５ａが、矢印３５による移送方向に対して、常に平行である。装置２の場合、これら印刷製品５の移送は、同一の方法で、しかしベルト４２によって行われる。これら印刷製品５の移送は、搬送機構２８に対して同期して行われ、且つ、１つの印刷製品５が、その都度、前方を走る連行部材２９′と後を追って走る連行部材２９との間に挿入されるように、調節されている。
【００１８】
図６は、１つの状態を示しており、この状態において、印刷製品５は、まさしく十分に、搬送通路２５内に入っており、その際、背かがり部５ａが、案内壁２６に、しかしながらまだ到達していない。傾斜した挿入の結果として、この印刷製品５は、搬送通路２５の移送方向において速度Ｖ２をもって移動する。従って、この印刷製品５は、矢印３５による移送方向に予備加速されている。挿入速度Ｖ１は、上記で説明されているように、装置２の場合、図６において示された時期において上昇されている。この挿入速度の上昇は、隣接する連行部材２９および２９′との間の、更により小さな分割、即ち、更により小さな間隔を可能にする。
【００１９】
図７は、状態を示し、この状態において、印刷製品５は、背かがり部５ａによって、案内壁２６に当接し、この印刷製品が搬送通路２５の移送方向に、更に加速されるために、同時に、連行部材２９によって、加速衝撃を与えられる。上記の予備加速によって、この加速衝撃は、連行部材２９によって、低減される。それに加えて、傾斜した挿入によって、背かがり部５ａの衝突は、案内壁において低減される。上記で説明されたように、この印刷製品５が、この案内壁２６へと衝突する直前に減速される場合、この衝突は、更にそれ以上に低減される。これら図３および４による連行部材２９が、比較的に幅広く形成されている場合、これら印刷製品５は、搬送通路２５内において、特に確実に案内される。この加速衝撃は、比較的に大きな幅上に分散し、このことは、より印刷製品５の品質を損なうことが無い処理を誘起する。上記に説明されたように、この印刷製品５は、１つの主製品または同様に１つの折込み紙であり、この印刷製品が１つの主製品内に挿入される。内側に折込み紙が挿入された主製品は、それ自体公知の方法で、開放されて移送される。特に、信頼性の高い開口部は、図３および４において示された屈曲された連行部材２９を可能にする。図３および４による搬送通路２５′が、案内壁２６に向かって傾斜されている場合、挿入された印刷製品５は、この搬送通路２５′内において、特に信頼性高く自身で整向する。特に図７が示すように、この挿入される印刷製品５が、この案内壁２６に衝突する直前まで、エンドレスベルト１９によって案内されている。装置２の場合、このベルトは、ベルト４２である。
【図面の簡単な説明】
【図１】  本発明による装置の立体的な外観を、概略的に示した図である。
【図２】  図１による装置の他の外観を示した図であり、その際、図画の理由から、部材が省略されている。
【図３】  変形例のよる、本発明に従う装置の立体的な外観を、概略的に示した図である。
【図４】  図３による装置の他の外観を示した図である。
【図５】  搬送通路内において、印刷製品の傾斜挿入の場合の、概略的に個々の段階を示した図である。
【図６】  搬送通路内において、印刷製品の傾斜挿入の場合の、概略的に個々の段階を示した図である。
【図７】  搬送通路内において、印刷製品の傾斜挿入の場合の、概略的に個々の段階を示した図である。
【符号の説明】
１、２  装置
３    フレーム
４    堆積体
５、５′、５″    印刷製品
５ａ  背かがり部
６    回転軸
７    グリッパー円板
８    グリッパー
９    管
１２  案内ロッド、ロッド
１３  球
１４  案内スリット
１５  グリッパー軸
１６  傾斜ローラ
１７  駆動円板
１８  軸受部
１９  第２の手段、搬送ベルト、エンドレスベルト
１９ａ  鼻状に前方へ突出した領域
２０  下側のベルト
２１、４９  方向転換ローラ
２２、２３、４３  ローラ
２５、２５′  搬送通路
２６  案内壁
２６′  ベルト、緩衝ベルト
２７  長手スリット
２８  搬送機構
２９、２９′  連行部材
３０  節部材
３５、４６、４７、５２  矢印
３６  フレーム
３７、４０  ベルトグループ
３８  下側のベルト
３９、４２  上側のベルト
４１  駆動軸
４４  ローラ
４５  担持体
４８  破線で書かれた線
５０  給紙機
５４  リンクチェーン
Ｖ１  挿入速度、速度
Ｖ２、Ｖ３  速度成分
α    供給角度、角度
【図１】
0004149163.tif 000002
【図２】
0004149163.tif 000003
【図３】
0004149163.tif 000004
【図４】
0004149163.tif 000005
【図５】
0004149163.tif 000006
【図６】
0004149163.tif 000007
【図７】
0004149163.tif 000008